Podtech/llm-jp-corpus-v4-ja_patent huggingface dataset:
【手続補正書】
【提出日】平成20年3月25日(2008.3.25)
【手続補正１】
【補正対象書類名】特許請求の範囲
【補正対象項目名】全文
【補正方法】変更
【補正の内容】
【特許請求の範囲】
【請求項１】
金属基板、抵抗素子およびろう材料を含む抵抗点火装置システムにおいて、
前記点火装置および前記金属基板を隣接させる前に、前記ろう材料が前記金属基板に施される抵抗点火装置システム。
【請求項２】
金属基板、抵抗点火装置素子および非ペーストろう材料を含んでなる抵抗点火装置システム。
【請求項３】
高温および低温ゾーン領域を含み、該低温ゾーンがリセス部を含む点火装置素子。
【請求項４】
金属基板、抵抗素子およびろう材料層を含む抵抗点火装置システムにおいて、
前記ろう材料層が、リフローの前に、約０．００５インチ（０．１２７ｍｍ）以下の厚みを有する抵抗点火装置システム。
【請求項５】
金属基板と、抵抗素子と、ろう材料とを含み、該ろう材料はその全重量に対し少なくとも約８０重量パーセントの銀含有量を有するを含む抵抗点火装置システム。
【請求項６】
ろう材料を金属基板に施す段階と、
その後抵抗点火装置素子と前記金属基板とを結びつける段階と、
を有する点火装置システムを生産する方法。
【手続補正書】
【提出日】平成20年5月14日(2008.5.14)
【手続補正１】
【補正対象書類名】特許請求の範囲
【補正対象項目名】全文
【補正方法】変更
【補正の内容】
【特許請求の範囲】
【請求項１】
少なくとも１つの連続したトラックと、
前記トラックのまわりで移動可能な複数のキャリッジと、
前記キャリッジの各々に取り付けられ、かつトラックにほぼ直交する方向に流れる水流に応答してトラックをキャリッジの周りで駆動する複数のホイルと、
２個のプーリと、これらプーリの周囲に延伸され、キャリッジを連結する連続状のベルトとを有する動力取出し装置とを備え、
前記キャリッジがトラックの周囲を移動して動力取出し装置を駆動する発電システム。
【請求項２】
各キャリッジは連結アームを介してベルトに連結されている請求項１に記載の発電システム。
【請求項３】
前記トラックはＴ形材料から形成される請求項１又は２に記載の発電システム。
【請求項４】
前記キャリッジはドラッグを低減させる翼を有する請求項１乃至３のいずれか１項に記載の発電システム。
【請求項５】
前記動力取出し装置がポンプまたは発電機に作動的に接続される請求項１乃至４のいずれか1項に記載の発電システム。
【請求項６】
前記動力取出し装置が発電機に作動的に接続される請求項１乃至５のいずれか1項に記載の発電システム。
【請求項７】
前記トラックがフレームに取り付けられる請求項１乃至６のいずれか1項に記載の発電システム。
【請求項８】
前記フレームが主円筒体と、２つのアーチ形アームと、トラック支持体とを含む請求項７に記載の発電システム。
【請求項９】
各トラック支持体がトラック・アームと、トラック・クレイドルとを含む請求項６に記載の発電システム。
【請求項１０】
前記本体の中のバラストを調整するために、空気圧縮機と、電動機とをさらに含む請求項８または９に記載の水中発電システム。
【請求項１１】
各ホイルが２つの翼と、接続アームとから形成される請求項１乃至１０のいずれか1項に記載の発電システム。
【請求項１２】
各キャリッジがハウジングと、少なくとも１つの上部車輪アッセンブリと、少なくとも１つの底部車輪アッセンブリとから形成される請求項１乃至１１のいずれか1項に記載の発電システム。
【請求項１３】
各ホイルが対応するのキャリッジに枢着される請求項１乃至１２のいずれか１項に記載の発電システム。
【請求項１４】
請求項１乃至１４に記載された発電システムを、同発電システムに直交する方向に流れる水流中に配置することと、
水流を利用してキャリッジをトラックに沿って移動させることと、
動力取出し装置を介して電力を発電システムから取り出すこととからなる発電方法。
【手続補正書】
【提出日】平成20年5月14日(2008.5.14)
【手続補正１】
【補正対象書類名】特許請求の範囲
【補正対象項目名】全文
【補正方法】変更
【補正の内容】
【特許請求の範囲】
【請求項１】
ポサコナゾール、リン脂質、熱保護剤、および緩衝システムを含む、処方物。
【請求項２】
水をさらに含む、請求項１に記載の処方物。
【請求項３】
前記処方物がオートクレーブによって滅菌されている、請求項２に記載の処方物。
【請求項４】
前記処方物が照射によって滅菌されている、請求項２に記載の処方物。
【請求項５】
前記緩衝システムにリン酸ナトリウムが含まれる、請求項１に記載の処方物。
【請求項６】
前記緩衝システムに有機緩衝液が含まれる、請求項１に記載の処方物。
【請求項７】
前記緩衝システムに、ヒスチジン、クエン酸、グリシン、クエン酸ナトリウム、硫酸アンモニウム、または酢酸のうちの少なくとも１つが含まれる、請求項１に記載の処方物。
【請求項８】
前記緩衝システムが、ｐＨを約６．４から約７．６に維持する、請求項１に記載の処方物。
【請求項９】
前記リン脂質に１−パルミトイル−２−オレオイル−ｓｎ−グリセロ−３−ホスホコリン（ＰＯＰＣ）が含まれる、請求項１に記載の処方物。
【請求項１０】
前記熱保護剤にトレハロースが含まれる、請求項１に記載の処方物。
【請求項１１】
前記リン脂質に１−パルミトイル−２−オレオイル−ｓｎ−グリセロ−３−ホスホコリン（ＰＯＰＣ）が含まれ、前記熱保護剤にトレハロースが含まれ、そして前記緩衝システムにリン酸ナトリウムが含まれる、請求項２に記載の処方物。
【請求項１２】
前記ポサコナゾールは、中央値が約１．２ミクロンと約４．５ミクロンとの間の粒度分布を有しており、約３０００個以下の粒子が１０ミクロン以上の大きさであり、そして約３００個以下の粒子が２５ミクロン以上の大きさである、請求項１に記載の処方物。
【請求項１３】
前記処方物の成分に以下：
成分                          濃度範囲
ポサコナゾール                約５０ｍｇ／ｍｌ
ＰＯＰＣ                      約４０ｍｇ／ｍｌ
リン酸一ナトリウム一水和物    ０．３４５ｍｇ／ｍｌ
ＵＳＰ
リン酸二ナトリウム無水物      １．０６５
ＵＳＰ
トレハロース                  ２５０ｍｇ／ｍｌ
注射用水、ＵＳＰ  適量加えて  １ｍｌ
が含まれている、請求項１１に記載の処方物。
【請求項１４】
抗酸化剤をさらに含む、請求項１に記載の処方物。
【請求項１５】
リン脂質対ポサコナゾールの重量比が約１：１と約４：５との間である、請求項１に記載の処方物。
【請求項１６】
熱保護剤対ポサコナゾールの重量比が約１：１と約６：１との間である、請求項１に記載の処方物。
【請求項１７】
以下：
抗真菌剤；アンホテリシンＢ；デオキシコール酸アンホテリシンＢ；フルシトシン；テルビナフィン；抗菌剤；抗ウイルス剤；ステロイド；非ステロイド系抗炎症薬（「ＮＳＡＩＤ」）；化学療法薬；および制吐剤からなる群の１つ以上より選択される第２の活性成分をさらに含む、請求項１、９、１０、１１および１３のいずれか一項に記載の処方物。
【請求項１８】
前記処方物が凍結乾燥に供されている、請求項１に記載の処方物。
【手続補正書】
【提出日】平成20年5月8日(2008.5.8)
【手続補正１】
【補正対象書類名】特許請求の範囲
【補正対象項目名】全文
【補正方法】変更
【補正の内容】
【特許請求の範囲】
【請求項１】
Ｔ細胞リンパ腫の治療用薬剤の製剤における、１０−プロパルギル−１０−デアザアミノプテリンの使用。
【請求項２】
１０−プロパルギル−１０−デアザアミノプテリンが、１０−デアザアミノプテリンを実質的に含んでいない請求項１に記載の使用。
【請求項３】
薬剤が、１用量当たり１０−プロパルギル−１０−デアザアミノプテリンを３０から２７５ｍｇ／ｍ２の量で投与するように製剤される請求項１又は２に記載の使用。
【請求項４】
患者が診断されたＴ細胞リンパ腫が、
（ａ）胸腺からの原始的リンパ性前駆細胞に悪性腫瘍が生じる、リンパ芽球性リンパ腫、
（ｂ）Ｔ細胞前リンパ球性白血病、Ｔ細胞顆粒リンパ球性白血病、活動性ＮＫ細胞白血病、皮膚Ｔ細胞性リンパ腫（菌状息肉腫セザリー症候群）、未分化大細胞リンパ腫、Ｔ細胞型、腸症型Ｔ細胞リンパ腫、ＨＴＬＶ−１に関連するものを含む成人Ｔ細胞白血病／リンパ腫、及び血管免疫芽球性Ｔ細胞リンパ腫、及び皮下脂肪織炎性Ｔ細胞リンパ腫からなる群から選択される、成熟又は末梢Ｔ細胞新生物、並びに
（ｃ）最初にリンパ節副皮質を冒し、真の濾胞状パターンに成長することのない、末梢Ｔ細胞リンパ腫
からなる群から選択される、請求項１から３の何れか１項に記載の使用。
【請求項５】
前記Ｔ細胞リンパ腫が、リンパ芽球性リンパ腫である、請求項４に記載の使用。
【請求項６】
前記Ｔ細胞リンパ腫が、末梢Ｔ細胞リンパ腫である、請求項４に記載の使用。
【請求項７】
前記Ｔ細胞リンパ腫が、ＨＴＬＶ−１関連Ｔ細胞リンパ腫である、請求項４に記載の使用。
【請求項８】
前記Ｔ細胞リンパ腫が、脂肪織炎性Ｔ細胞リンパ腫である、請求項４に記載の使用。
【手続補正書】
【提出日】平成20年5月12日(2008.5.12)
【手続補正１】
【補正対象書類名】特許請求の範囲
【補正対象項目名】全文
【補正方法】変更
【補正の内容】
【特許請求の範囲】
【請求項１】
アトピー性疾患の少なくとも１つの症状を改善するために有効な量でＩＬ−２１経路アゴニストを含有する、被験者においてアトピー性疾患の症状を改善するための医薬組成物。
【請求項２】
ＩＬ−２１経路アゴニストがＩＬ−２１ポリペプチドである、請求項１に記載の医薬組成物。
【請求項３】
ＩＬ−２１ポリペプチドがヒトである、請求項２に記載の医薬組成物。
【請求項４】
ＩＬ−２１ポリペプチドが配列番号２のアミノ酸配列を含む、請求項２に記載の医薬組成物。
【請求項５】
ＩＬ−２１経路アゴニストがＩＬ−２１ポリペプチドをコードする核酸である、請求項１に記載の医薬組成物。
【請求項６】
アトピー性疾患が、アトピー性皮膚炎、喘息、外因性気管支喘息、蕁麻疹、湿疹、アレルギー性鼻炎及びアレルギー性胃腸炎から成る群より選択される、請求項１に記載の医薬組成物。
【請求項７】
被験者がヒトである、請求項１に記載の医薬組成物。
【請求項８】
ＩｇＥレベルが、投与前の被験者におけるレベルと比べて少なくとも４０％低下する、請求項１に記載の医薬組成物。
【請求項９】
被験者においてアトピー性疾患の１又はそれ以上の症状を評価することを特徴とする、請求項１に記載の医薬組成物。
【請求項１０】
被験者においてＩＬ−２１関連パラメータを評価することを特徴とする、請求項１に記載の医薬組成物。
【請求項１１】
被験者において内因性ＩｇＥのレベルを評価することを特徴とする、請求項１に記載の医薬組成物。
【請求項１２】
アトピー性疾患を治療する又は予防するために有効な量でＩＬ−２１経路アゴニストを含有する、ヒト被験者においてアトピー性疾患を治療する又は予防するための医薬組成物。
【請求項１３】
ＩＬ−２１経路アゴニストがＩＬ−２１ポリペプチドである、請求項１２に記載の医薬組成物。
【請求項１４】
ＩＬ−２１ポリペプチドがヒトである、請求項１３に記載の医薬組成物。
【請求項１５】
ＩＬ−２１ポリペプチドが配列番号２のアミノ酸配列を含む、請求項１４に記載の医薬組成物。
【請求項１６】
アトピー性疾患が、アトピー性皮膚炎、喘息、外因性気管支喘息、蕁麻疹、湿疹、アレルギー性鼻炎及びアレルギー性胃腸炎から成る群より選択される、請求項１２に記載の医薬組成物。
【請求項１７】
ＩＬ−２１経路調節剤を、ＩｇＧ産生を調節するのに十分な量で細胞に接触させることを含む、細胞においてＩｇＧ産生を調節する方法。
【請求項１８】
ＩｇＧ産生が上昇し、ＩＬ−２１経路調節剤がＩＬ−２１経路アゴニストである、請求項１７に記載の方法。
【請求項１９】
ＩＬ−２１経路アゴニストがＩＬ−２１ポリペプチドである、請求項１８に記載の方法。
【請求項２０】
ＩｇＧ産生が低下し、ＩＬ−２１経路調節剤がＩＬ−２１経路アンタゴニストである、請求項１７に記載の方法。
【請求項２１】
ＩＬ−２１経路アンタゴニストが、ＩＬ−２１に結合する抗体又は可溶性形態のＩＬ−２１受容体を含む作用物質である、請求項２０に記載の方法。
【請求項２２】
ＩＬ−２１経路アンタゴニストが、ＩＬ−２１、ＩＬ−２１受容体又はＩＬ−２１経路成分の発現を低下させる核酸である、請求項２０に記載の方法。
【請求項２３】
細胞がインビトロである、請求項１７に記載の方法。
【請求項２４】
細胞がインビボである、請求項１７に記載の方法。
【請求項２５】
ＩＬ−２１経路調節剤を、ＩｇＥ産生を調節するのに十分な量で細胞に接触させることを含む、細胞においてＩｇＥ産生を調節する方法。
【請求項２６】
ＩｇＥ産生が低下し、ＩＬ−２１経路調節剤がＩＬ−２１経路アゴニストである、請求項２５に記載の方法。
【請求項２７】
ＩｇＥレベルが少なくとも４０％低下する、請求項２６に記載の方法。
【請求項２８】
ＩｇＥ産生が上昇し、ＩＬ−２１経路調節剤がＩＬ−２１経路アンタゴニストである、請求項２５に記載の方法。
【請求項２９】
ＩｇＥレベルが少なくとも２０％上昇する、請求項２８に記載の方法。
【請求項３０】
ＩＬ−２１経路調節剤を、ＩｇＥとＩｇＧの相対レベルを調節するのに十分な量で細胞に接触させることを含む、ＩｇＥとＩｇＧの相対レベルを調節する方法。
【請求項３１】
ＩｇＥ／ＩｇＧ比が低下し、ＩＬ−２１経路調節剤がＩＬ−２１経路アゴニストである、請求項３０に記載の方法。
【請求項３２】
ＩＬ−２１経路アゴニストがＩＬ−２１ポリペプチドである、請求項３１に記載の方法。
【請求項３３】
前記比が少なくとも４０％低下する、請求項３１に記載の方法。
【請求項３４】
ＩｇＥ／ＩｇＧ比が上昇し、ＩＬ−２１経路調節剤がＩＬ−２１経路アンタゴニストである、請求項３０に記載の方法。
【請求項３５】
前記比が少なくとも２０％上昇する、請求項３１に記載の方法。
【請求項３６】
Ｉε転写産物のために必要なスイッチ組換えを阻害することによって前記相対レベルを調節する、請求項３０に記載の方法。
【請求項３７】
Ｔ細胞の存在下で相対レベルを調節する、請求項３０に記載の方法。
【請求項３８】
ＩＬ−２１経路アゴニスト及びアトピー性疾患を治療するための第二作用物質を含有する医薬組成物。
【請求項３９】
１又はそれ以上の用量のＩＬ−２１経路アゴニストの医薬組成物及びアトピー性疾患又は障害を治療するために一定用量の前記組成物を投与するための指示を含むラベルを含む容器。
【請求項４０】
アトピー性疾患を有する被験者に関してＩＬ−２１関連パラメータを評価すること、
前記評価の結果を標準パラメータと比較すること、及び
前記比較に応じて疾患のための治療の推奨を提供すること
を含む、アトピー性疾患を有する又は有することが疑われる被験者を評価する方法。
【請求項４１】
ＩＬ−２１関連パラメータが、ＩＬ−２１ポリペプチドの存在率又はＩＬ−２１  ｍＲＮＡについての定量的又は定性的値を含む、請求項４０に記載の方法。
【請求項４２】
ＩＬ−２１関連パラメータが、ＩＬ−２１受容体タンパク質又はｍＲＮＡについての、又はＩＬ−２１経路活性についての定量的又は定性的値を含む、請求項４０に記載の方法。
【請求項４３】
アトピー性疾患が、アトピー性皮膚炎、喘息、外因性気管支喘息、蕁麻疹、湿疹、アレルギー性鼻炎及びアレルギー性胃腸炎から成る群より選択される、請求項４０に記載の方法。
【請求項４４】
被験者に関してＩＬ−２１関連パラメータを評価すること、
前記評価の結果を標準パラメータと比較すること、及び
前記比較に応じてアトピー性疾患についての危険度評価を提供すること
を含む、アトピー性疾患の危険度に関して被験者を評価する方法。
【手続補正書】
【提出日】平成20年5月8日(2008.5.8)
【手続補正１】
【補正対象書類名】特許請求の範囲
【補正対象項目名】全文
【補正方法】変更
【補正の内容】
【特許請求の範囲】
【請求項１】
有効成分として、ビタミンＣ、ビタミンＥ、イチョウ（Ｇｉｎｇｋｏ  ｂｉｏｌｏｂａ）、アミノ酸および生理学的に許容され得る医薬用のキャリアまたは希釈剤を含む医薬組成物であって、前記アミノ酸がグリシンではない医薬組成物。
【請求項２】
神経変性障害を治療するために使用される請求項１に記載の医薬組成物。
【請求項３】
ビタミン、ミネラルおよび薬草からなる群から選択される少なくとも１つの物質をさらに含む請求項１に記載の医薬組成物。
【請求項４】
前記ビタミンは、ビタミンＡ、ビタミンＢ１、ビタミンＢ２、ビタミンＢ３、ビタミンＢ５、ビタミンＢ６、ビタミンＢ１２、ビタミンＤ、ビタミンＨ、コリン、葉酸およびパラアミノ安息香酸（ＰＡＢＡ）からなる群から選択される請求項３に記載の医薬組成物。
【請求項５】
前記ミネラルは、カルシウム、クロム、銅、ヨウ素、鉄、マグネシウム、マンガン、リン、カリウム、セレン（ピコリン酸塩）および亜鉛からなる群から選択される請求項３に記載の医薬組成物。
【請求項６】
前記薬草は、アルム・サチブム（Ａｌｌｕｍ  Ｓａｔｉｖｕｍ）（ニンニク）、ブラックカラント（Ｒｉｂｅｓ  ｎｉｇｒａ）、ブロムライン（Ｂｒｏｍｌａｉｎ）、エキナセア、オタネニンジン（Ｇｉｎｓｅｎｇ（ｐａｎａｘ））、シベリアニンジン（Ｇｉｎｓｅｎｇ（Ｓｉｂｅｒｉａｎ））、ヒドラスタシス（Ｈｙｄｒａｓｔａｓｉｓ）、ムラサキウマゴヤシ（Ｍｅｄｉｃａｇｏ  ｓａｔｉｖａ）（アルファルファ）、パシフロラ（Ｐａｓｓｉｆｌｏｒａ）、ナギイカダ（Ｒｕｓｃｕｓ  ａｃｕｌｅａｔｕｓ）、セイヨウオトギリソウ（Ｈｙｐｅｒｉｃｕｍ  ｐｅｒｆｏｒａｔｕｍ）およびビルベリー（Ｖａｃｃｉｎｉｕｍ  ｍｙｒｔｉｌｌｕｓ）からなる群から選択される請求項３に記載の医薬組成物。
【請求項７】
ＤＭＡＥ（ジメチルアミノエタノール）、フラボノイド（ルチン）、グルタチオン、イノシトール、リコペン、メラトニン、オメガ−３脂肪酸、ホスファチジルコリン（レシチン）、ホスファチジルセリン、ケルセチンおよびユビキチン（Ｑ１０）からなる群から選択される少なくとも１つの物質をさらに含む請求項１に記載の医薬組成物。
【請求項８】
前記神経変性障害は、重症筋無力症、パーキンソン病、多発性硬化症、筋萎縮性側索硬化症、糖尿病性神経障害、脳血管障害、脊髄傷害、緑内障性神経障害、自己免疫脳脊髄炎、アルツハイマー病、特発性痴呆およびハンチングトン病からなる群から選択される請求項２に記載の医薬組成物。
【請求項９】
有効成分として、ビタミンＣ、ビタミンＥ、イチョウ、パラアミノ安息香酸（ＰＡＢＡ）、カリウムおよび生理学的に許容され得る医薬用のキャリアまたは希釈剤を含む医薬組成物。
【請求項１０】
有効成分として、ビタミンＣ、ビタミンＥ、イチョウ、セレン、亜鉛、ビタミンＡ、カリウム、マグネシウムおよび生理学的に許容され得る医薬用のキャリアまたは希釈剤を含む医薬組成物。
【請求項１１】
前記有効成分の量が以下に規定される通りのものである請求項１０に記載の医薬組成物。
2008501012.tif 000001
【請求項１２】
有効成分として、ビタミンＣ、ビタミンＥ、イチョウ、セレン、亜鉛、ビタミンＡ、カリウム、マグネシウム、ビタミンＢ１、ビタミンＢ２、ビタミンＢ３、ビタミンＢ５、ビタミンＢ６、ビタミンＢ１２、葉酸、ＰＡＢＡおよび生理学的に許容され得る医薬用のキャリアまたは希釈剤を含む医薬組成物。
【請求項１３】
前記有効成分の量が以下に規定される通りのものである請求項１２に記載の医薬組成物。
2008501012.tif 000002
【請求項１４】
有効成分として、ビタミンＣ、ビタミンＥ、イチョウ、セレン、亜鉛、ビタミンＡ、カリウム、マグネシウム、ビタミンＢ１、ビタミンＢ２、ビタミンＢ３、ビタミンＢ５、ビタミンＢ６、葉酸、ＰＡＢＡおよび生理学的に許容され得る医薬用のキャリアまたは希釈剤を含む医薬組成物。
【請求項１５】
前記有効成分の量が以下に規定される通りのものである請求項１４に記載の医薬組成物。
2008501012.tif 000003
【請求項１６】
有効成分として、ビタミンＣ、ビタミンＥ、イチョウ、カリウムおよび生理学的に許容され得る医薬用のキャリアまたは希釈剤を含む医薬組成物。
【請求項１７】
緑内障性神経障害を治療するために使用される請求項９，１０，１２，１４および１６のいずれかに記載の医薬組成物。
【請求項１８】
亜鉛、ピコリン酸セレン、ビタミンＡ、ビタミンＢ１、ビタミンＢ２、ビタミンＢ３、ビタミンＢ５、ビタミンＨ、葉酸、クロム、マンガン、フラボノイド、ホスファチジルコリン、ジメチルアミノエタノール、オメガ−３脂肪酸、アルギニンおよびビルベリー抽出物からなる群から選択される少なくとも１つの物質をさらに含む請求項９に記載の医薬組成物。
【請求項１９】
ビタミンＢ６、ビタミンＢ１２、ビタミンＤ、コリン、カルシウム、ブロムライン、銅、ヨウ素、マグネシウム、リン、ホスファチジルセリン、ケルセチン、ユビキチン、グルタチオン、イノシトール、メラトニン、アスパラギン酸塩、システイン、グルタミン酸塩、グルタミン、グリシン、ヒスチジン、イソロイシン、ロイシン、リシン、メチオニン、フェニルアラニン、プロリン、セリン、トレオニン、トリプトファン、チロシン、バリン、アルム・サチブム（ニンニク）、ブラックカラント、エキナセア、オタネニンジン、シベリアニンジン、ヒドラスタシス、ムラサキウマゴヤシ（アルファルファ）、パシフロラ、ナギイカダおよびセイヨウオトギリソウからなる群から選択される少なくとも１つの物質をさらに含む請求項１８に記載の医薬組成物。
【請求項２０】
前記物質は、マグネシウム、ビタミンＢ６、ビタミンＢ１２およびホスファチジルセリンからなる群から選択される請求項１９に記載の医薬組成物。
【請求項２１】
前記有効成分はそれぞれが個々の単位投薬形態物である請求項１，９，１０，１２，１４および１６のいずれかに記載の医薬組成物。
【請求項２２】
前記組成物は単位投薬形態物に配合される請求項１，９，１０，１２，１４および１６のいずれかに記載の医薬組成物。
【請求項２３】
前記単位投薬形態物は経口投与および／または直腸投与のために配合される請求項２１または２２に記載の医薬組成物。
【請求項２４】
前記単位投薬形態物は、ピル、錠剤、カプセル、ゲル−カプセルおよび坐薬からなる群から選択される請求項２１または２２に記載の医薬組成物。
【請求項２５】
前記単位投薬形態物は、５００ｍｇ〜６０００ｍｇの前記ビタミンＣ、２００ＩＵ〜８０００ＩＵの前記ビタミンＥ、および、４０ｍｇ〜１６０ｍｇの前記イチョウ抽出物を含む請求項２１または２２に記載の医薬組成物。
【手続補正書】
【提出日】平成20年5月30日(2008.5.30)
【手続補正１】
【補正対象書類名】特許請求の範囲
【補正対象項目名】全文
【補正方法】変更
【補正の内容】
【特許請求の範囲】
【請求項１】
抽出された血液の使用方法であって、以下のステップ：
血液を、密度1.077g/ml未満を有する初回通過細胞の選択に好適な第一の勾配に適用し；
初回通過細胞を、密度1.055〜1.074g/mlを有する2回通過細胞の選択に好適な第二の勾配に適用し；
密度1.055〜1.074g/mlを有する細胞の数を、2回通過細胞を3〜30日の持続する期間培養することにより増加させ；及び
培養された細胞中の内皮前駆細胞を同定すること
を含む、前記方法。
【請求項２】
血液の第一の勾配への適用が、血液を、ショ糖とエピクロロヒドリンとのコポリマーを含有する溶液に適用することを含む、請求項1記載の方法。
【請求項３】
初回通過細胞の第二の勾配への適用が、初回通過細胞をイオジキサノール水溶液に適用することを含む、請求項1記載の方法。
【請求項４】
初回通過細胞の第二の勾配への適用が、初回通過細胞をポリビニルピロリドン-被覆されたシリカコロイドを含む段階密度溶液に適用することを含む、請求項1記載の方法。
【請求項５】
血液細胞の第一の勾配への適用が、血液細胞をフィコール(Ficoll)-様勾配に適用することを含む、請求項1記載の方法。
【請求項６】
初回通過細胞の第二の勾配への適用が、初回通過細胞をオプティプレップ(OptilPrep)-様勾配に適用することを含む、請求項1記載の方法。
【請求項７】
初回通過細胞の第二の勾配への適用が、初回通過細胞をパーコール(Percoll)-様勾配に適用することを含む、請求項1記載の方法。
【請求項８】
前記培養が、自家血漿で被覆された表面上で2回通過細胞を培養することを含む、請求項1記載の方法。
【請求項９】
前記培養が、表面が同種血漿及び異種血漿からなる群から選択される少なくとも1種の血漿で被覆された表面上で2回通過細胞を培養することを含む、請求項1記載の方法。
【請求項１０】
前記培養が、2回通過細胞を、エリスロポイエチン、VEGF、IGF、FGF、エストロゲン、17-β-エストラジオール、エストロン、エストリオール、エストラジオール誘導体、吉草酸エストラジオール、エストラジオールシピオネート、メストラノール、キネストロール、プロゲスチン、プロゲスチンファミリー由来の分子、プロゲステロン、合成プロゲステロン、カロン酸ヒドロキシプロゲステロン、酢酸メドロキシプロゲステロン、スタチン、シムバスタチン、アトロバスタチン、糖尿病治療薬、及びロシグリタゾンからなるリストより選択される少なくとも1種の物質を含む培養培地において培養することを含む、請求項1記載の方法。
【請求項１１】
初回通過細胞を、各々それらの第一部分及び第二部分に分割することを更に含み、
ここで、第二の勾配への初回通過細胞の適用は、初回通過細胞の第一部分を第二の勾配に適用することを含み、
初回通過細胞の第二部分を、密度1.055〜1.074g/mlを有する細胞と混合することを更に含み、
ここで、細胞の数の増加は、2回通過細胞を3〜30日の持続する期間培養することにより、密度1.055〜1.074g/mlを有する細胞の数を増加させることを含む、請求項1に記載の方法。
【請求項１２】
初回通過細胞の分割が、第一部分を、第二部分よりも大きいように設定することを含む、請求項11記載の方法。
【請求項１３】
初回通過細胞の分割が、第一部分を、第二部分よりも小さいように設定することを含む、請求項11記載の方法。
【請求項１４】
細胞数の増加が、2回通過細胞を4〜8日の持続する期間培養することを含む、請求項1記載の方法。
【手続補正書】
【提出日】平成20年3月27日(2008.3.27)
【手続補正１】
【補正対象書類名】特許請求の範囲
【補正対象項目名】全文
【補正方法】変更
【補正の内容】
【特許請求の範囲】
【請求項１】
ラクトバチルス・ペントーサス（Lactobacillus pentosus）に属し、かつ、グリセロールの資化性が無いまたは弱い乳酸菌を含むことを特徴とする組成物。
【請求項２】
上記乳酸菌は、免疫調節作用および／または抗アレルギー作用を有することを特徴とする請求項１に記載の組成物。
【請求項３】
上記乳酸菌は、細胞外多糖産生株であることを特徴とする請求項２に記載の組成物。
【請求項４】
上記乳酸菌は、ラクトバチルス・ペントーサスＳ−ＰＴ８４株（受託番号：ＦＥＲＭ  ＢＰ−１００２８、受領番号：ＦＥＲＭ  ＡＢＰ−１００２８）であることを特徴とする請求項３に記載の組成物。
【請求項５】
免疫調節作用を有することを特徴とする請求項１〜４のいずれか１項に記載の組成物。
【請求項６】
抗アレルギー作用を有することを特徴とする請求項１〜４のいずれか１項に記載の組成物。
【請求項７】
乳酸菌を生菌として含むことを特徴とする請求項１〜６のいずれか１項に記載の組成物。
【請求項８】
飲食品または医薬品であることを特徴とする請求項５〜７のいずれか１項に記載の組成物。
【手続補正２】
【補正対象書類名】明細書
【補正対象項目名】０００８
【補正方法】変更
【補正の内容】
【０００８】
好適な乳酸菌としては、ラクトバチルス・ペントーサスＳ−ＰＴ８４株を挙げることができる。本ラクトバチルス・ペントーサスＳ−ＰＴ８４株は、本発明者らがしば漬けから分離し、高い免疫調節作用を有することを見出した株である。本菌は、ＤＳ８４Ｃ株とも称される。本菌は独立行政法人産業技術総合研究所、特許生物寄託センターに寄託されており（Lactobacillus pentosus SAM 2336）、その受託番号は、ＦＥＲＭ  ＢＰ−１００２８、受領番号はＦＥＲＭ  ＡＢＰ−１００２８である。したがって、本発明に係る組成物は、上記ラクトバチルス・ペントーサスＳ−ＰＴ８４株を含むものであることが好ましい。
【手続補正３】
【補正対象書類名】明細書
【補正対象項目名】００１４
【補正方法】変更
【補正の内容】
【００１４】
本発明に係る組成物に含まれる乳酸菌の代表的なものとして、ラクトバチルス・ペントーサスＳ−ＰＴ８４株を挙げることができる。本菌は独立行政法人産業技術総合研究所、特許生物寄託センターに寄託されており、その受託番号は、ＦＥＲＭ  ＢＰ−１００２８、受領番号はＦＥＲＭ  ＡＢＰ−１００２８である。以下に、ラクトバチルス・ペントーサスＳ−ＰＴ８４株（以下、「Ｓ−ＰＴ８４」と略記する。）について説明する。
【手続補正書】
【提出日】平成20年1月21日(2008.1.21)
【手続補正１】
【補正対象書類名】特許請求の範囲
【補正対象項目名】全文
【補正方法】変更
【補正の内容】
【特許請求の範囲】
【請求項１】
効果の向上した、かつ、15重量％水性溶液として溶解した場合に少なくとも3.5のpH値を有する制汗剤液体組成物の製造方法であって、前記組成物は、
(i) 約20重量％〜約40重量％の無水固体の濃度で、約1.0〜約1.8のアルミニウム対アニオンモル比を有する下記式
Al2(OH)6-aXa
（式中、X は Cl、Br、I または NO3であり、a は約1.1〜約6である）を有する塩基性アルミニウム塩、および、
(ii) 塩基性アルミニウム塩(i)に、下記式
ZrO(OH)bX2-b
（式中、b は0〜1.2の数であり、X は Cl、Br、I または NO3である）を有するものより選択されるジルコニウム化合物を加えることにより得られる、約2:1〜約10:1のAl:Zr比を有するアルミニウム-ジルコニウム塩、
より選択される制汗剤活性物質を含み、
以下の工程を含む、前記方法：
(1) 前記制汗剤活性物質の水性反応混合物を、強アルカリ性水不溶性カルシウムおよびストロンチウム化合物およびその混合物からなる群より選択される約0.1重量％〜約2重量％の添加剤で処理する工程、および、
(2) 少なくとも0.5のHPLCバンドIII対バンドII面積比を基準として安定な溶液が得られるまで前記混合物を混合および反応させる工程、ここで、前記添加剤は前記制汗剤活性物質との接触により活性化する。
【請求項２】
反応工程(2)が、少なくとも0.7のHPLCバンドIII対バンドII面積比が得られるまで維持される、請求項１記載の方法。
【請求項３】
制汗剤が塩基性アルミニウム塩(i)を含む、請求項１記載の方法。
【請求項４】
制汗剤組成物がアルミニウム-ジルコニウム塩(ii)を含む、請求項１記載の方法。
【請求項５】
工程(2)の反応が、少なくとも0.9のHPLCバンドIIIおよびバンドIIの面積比が得られるまで維持される、請求項４記載の方法。
【請求項６】
反応させた液体組成物が、約25重量％〜約35重量％の前記塩を含む、請求項３または４記載の方法。
【請求項７】
反応させた液体組成物が、約25重量％〜約35重量％の塩および約8重量％までのアミノ酸を含む、請求項３または４記載の方法。
【請求項８】
反応させた液体組成物が、約25重量％〜約35重量％の塩および約3重量％〜約6重量％のアミノ酸を含む、請求項３または４記載の方法。
【請求項９】
不溶性強アルカリ性化合物が、水酸化ストロンチウム、酸化ストロンチウム、酸化カルシウム、水酸化カルシウムおよびその混合物から選択される、請求項１記載の方法。
【請求項１０】
アミノ酸がグリシンである、請求項７または８記載の方法。
【請求項１１】
塩基性アルミニウムハロハイドレート（またはナイトレート）を、グリシンの存在下で酸化カルシウムおよびジルコニウム化合物と反応させる、請求項４記載の方法。
【請求項１２】
塩基性アルミニウムハロハイドレート（またはナイトレート）溶液を、酸化カルシウムおよびジルコニウムヒドロキシハロハイドレート（またはナイトレート）グリシネート溶液と、約室温から約還流温度の温度で反応させることを含む、請求項４記載の方法。
【請求項１３】
ジルコニウム化合物を酸化カルシウムと約室温から約還流温度の温度で反応させ、溶液に多価アルコールを加え、そして、効果の向上した塩を提供するのに十分な時間、溶液を塩基性アルミニウムハロハイドレート（またはナイトレート）と混合する、請求項４記載の方法。
【請求項１４】
工程(2)から得られた安定溶液が粉末形体に乾燥される、請求項１記載の方法。
【請求項１５】
工程(2)から得られた安定溶液が噴霧乾燥される、請求項３または４記載の方法。
【請求項１６】
約5%〜約25%の噴霧乾燥された生成物をシリコーンオイルおよび脂肪族アルコールと混合し; 均質な混合物が得られるまで加熱し、スティック-制汗剤の型枠に注ぎ入れて固形化する、請求項１５記載の方法。
【請求項１７】
請求項１〜１６のいずれか１項記載の方法により得られた生成物。
【請求項１８】
工程(2)の反応が約1.0〜約1.2の金属対クロリド比および少なくとも3.5のpHを有する生成物が得られるまで維持される請求項４に従って、酸化カルシウムを用いて調製されたアルミニウム-ジルコニウム制汗剤組成物。
【手続補正書】
【提出日】平成20年5月30日(2008.5.30)
【手続補正１】
【補正対象書類名】特許請求の範囲
【補正対象項目名】全文
【補正方法】変更
【補正の内容】
【特許請求の範囲】
【請求項１】
治療を必要とする対象における、体脂肪または体重を減少させるため、或いはインスリン非依存性糖尿病、メタボリックシンドローム、または耐糖能障害を治療するための、治療的有効量のホスホジエステラーゼ１０（PDE10）アンタゴニストを含む、医薬組成物。
【請求項２】
前記対象が過体重である、請求項１に記載の医薬組成物。
【請求項３】
前記対象が肥満である、請求項２に記載の医薬組成物。
【請求項４】
前記PDE10アンタゴニストがPDE10選択的アンタゴニストである、請求項１に記載の医薬組成物。
【請求項５】
前記PDE10アンタゴニストが対象に経口投与される、請求項１に記載の医薬組成物。
【請求項６】
前記対象がヒトである、請求項１に記載の医薬組成物。
【請求項７】
前記PDE10アンタゴニストがPDE10選択的であり、前記PDE10アンタゴニストが経口投与され、かつ前記対象がヒトである、請求項１に記載の医薬組成物。
【請求項８】
さらに、第二の治療剤を対象に投与することを含む、請求項１に記載の医薬組成物。
【請求項９】
前記第二の治療剤が抗肥満薬である、請求項８に記載の医薬組成物。
【請求項１０】
前記抗肥満薬が以下の：リモナバント、オルリスタット、シブトラミン、ブロモクリプチン、エフェドリン、レプチン、シュードエフェドリン、ペプチドYY3-36、及びそのアナログから成る群から選ばれる、請求項９に記載の医薬組成物。
【請求項１１】
前記PDE10アンタゴニストが、以下の：
６，７−ジメトキシ−４−［８−（モルホリン−４−スルホニル）−３，４−ジヒドロ−１H−イソキノリン−２−イル］−キナゾリン；
４−（２−フルオロ−フェニル）−６，７−ジメトキシ−２−ピペラジン−１−イル−キナゾリン；
６，７−ジメトキシ−４−［３−（キノキサリン−２−イルオキシ）−ピロリジン−１−イル］−キナゾリン；
２−［４−（１−メチル−４−ピリジン−４−イル−１H−ピラゾール−３−イル）−フェノキシメチル］−キノリン；
２−［４−（４−ピリジン−４−イル−２H−ピラゾール−３−イル）−フェノキシメチル］−キノリン；及び
医薬として許容可能なその塩、或いは該化合物または該塩の水和物または溶媒和物からなる群から選ばれる、請求項１に記載の医薬組成物。
【請求項１２】
体脂肪または体重を減少させるため、或いはＮＩＤＤＭ、メタボリックシンドローム、または耐糖能障害を治療するために使用可能な作用物質を同定する方法であって、以下の：
（ｉ）ＰＤＥ１０アンタゴニスト候補を被験対象に投与し；そして
(ｉｉ）上記ＰＤＥ１０アンタゴニストが、被験対象における体脂肪または体重を減少させること、或いはＮＩＤＤＭ、メタボリックシンドローム、または耐糖能障害を治療することにおいて有効であるか否かを決定する、
を含む、前記方法。
【請求項１３】
さらに、前記ＰＤＥ１０アンタゴニスト候補を前記被験対象に投与する前に、前記ＰＤＥ１０アンタゴニスト候補をインビトロの試験において、ＰＤＥ１０アンタゴニスト活性について試験することを含む、請求項１２に記載の方法。
【請求項１４】
ＰＤＥ１０アンタゴニスト、及び対象において体脂肪または体重を減少させるため、或いはインスリン非依存性糖尿病（ＮＩＤＤＭ）、メタボリックシンドローム、または耐糖能障害を治療するために該アンタゴニストを上記対象に投与するための指示書を含むキット。
【請求項１５】
前記ＰＤＥ１０アンタゴニストがＰＤＥ１０選択的アンタゴニストである、請求項１４に記載のキット。
【請求項１６】
前記ＰＤＥ１０アンタゴニストが、以下の：
６，７−ジメトキシ−４−［８−（モルホリン−４−スルホニル）−３，４−ジヒドロ−１H−イソキノリン−２−イル］−キナゾリン；
４−（２−フルオロ−フェニル）−６，７−ジメトキシ−２−ピペラジン−１−イル−キナゾリン；
６，７−ジメトキシ−４−［３−（キノキサリン−２−イルオキシ）−ピロリジン−１−イル］−キナゾリン；
２−［４−（１−メチル−４−ピリジン−４−イル−１H−ピラゾール−３−イル）−フェノキシメチル］−キノリン；
２−［４−（４−ピリジン−４−イル−２H−ピラゾール−３−イル）−フェノキシメチル］−キノリン；及び
医薬として許容可能なその塩、或いは該化合物または該塩の水和物または溶媒和物からなる群から選ばれる、請求項１４に記載のキット。
【請求項１７】
さらに、第二の治療剤を含む、請求項１４に記載のキット。
【請求項１８】
前記第二の治療剤が抗肥満薬である、請求項１７に記載のキット。
【請求項１９】
前記抗肥満薬が、以下の：リモナバント、オルリスタット、シブトラミン、ブロモクリプチン、エフェドリン、レプチン、シュードエフェドリン、ペプチドYY3-36、及びそのアナログから成る群から選ばれる、請求項１８に記載のキット。
【手続補正書】
【提出日】平成20年5月22日(2008.5.22)
【手続補正１】
【補正対象書類名】特許請求の範囲
【補正対象項目名】全文
【補正方法】変更
【補正の内容】
【特許請求の範囲】
【請求項１】
神経障害性疼痛、侵害受容性疼痛、癌疼痛、背痛、炎症性疼痛、筋肉−骨格障害、内臓痛、緊張／捻挫に起因する疼痛、術後疼痛、外傷後疼痛、火傷、腎疝痛、急性疼痛、中枢神経系外傷、頭痛及び口腔顔面痛から選択される疼痛症状を治療するための医薬の製造における、(S,S)−若しくはラセミレボキセチン又はその製薬上許容される塩の使用。
【請求項２】
疼痛症状が神経障害性疼痛である、請求項１に記載の使用。
【請求項３】
疼痛症状が侵害受容性疼痛である、請求項１に記載の使用。
【請求項４】
疼痛症状が癌疼痛である、請求項１に記載の使用。
【請求項５】
疼痛症状が炎症性疼痛である、請求項１に記載の使用。
【請求項６】
疼痛症状が内臓痛である、請求項１に記載の使用。
【請求項７】
アルファ−２−デルタリガンドに反応しない患者の疼痛を治療するための医薬の製造における、光学的に純粋な (S,S)−レボキセチン又はその製薬上許容される塩（該化合物は(R,R)−レボキセチンを実質的に含まない）の使用。
【請求項８】
(S,S)−レボキセチンの製薬上許容される塩がコハク酸塩である、請求項７に記載の使
用。
【請求項９】
疼痛が神経障害性疼痛である、請求項７又は８に記載の使用。
【請求項１０】
神経障害性疼痛がヘルペス後神経痛である、請求項９に記載の使用。
【請求項１１】
精神能力又は気分向上剤として使用するための医薬の製造における、(S,S)−若しくは
ラセミレボキセチン又はその製薬上許容される塩の使用。
【手続補正書】
【提出日】平成20年4月25日(2008.4.25)
【手続補正１】
【補正対象書類名】明細書
【補正対象項目名】００５１
【補正方法】変更
【補正の内容】
【００５１】
（メタ）アクリレートモノマー、環状オレフィンモノマー及び環状酸無水物の混合物を含むポリマー（なお、これらのモノマーについては上述した）を組み合わせてハイブリッドポリマーとすることもできる。環状オレフィンモノマーの例には、ｔ−ブチルノルボルネンカルボキシレート（ＢＮＣ）、ヒドロキシエチルノルボルネンカルボキシレート（ＨＮＣ）、ノルボルネンカルボン酸（ＮＣ）、ｔ−ブチルテトラシクロ[4.4.0.1.2,61.7,10]ドデカン−８−エン−３−カルボキシレート、及びｔ−ブトキシカルボニルメチルテトラシクロ[4.4.0.1.2,61.7,10]ドデカン−８−エン−３−カルボキシレートから選択されるものなどが挙げられる。ある場合には、環状オレフィンの好ましい例には、ｔ−ブチルノルボルネンカルボキシレート（ＢＮＣ）、ヒドロキシエチルノルボルネンカルボキシレート（ＨＮＣ）、及びノルボルネンカルボン酸（ＮＣ）などが挙げられる。（メタ）アクリレートモノマーの例には、中でも、メバロノラクトンメタクリレート（ＭＬＭＡ）、２−メチル−２−アダマンチルメタクリレート（ＭＡｄＭＡ）、２−メチル−２−アダマンチルアクリレート（ＭＡｄＡ）、２−エチル−２−アダマンチルメタクリレート（ＥＡｄＭＡ）、３，５−ジメチル−７−ヒドロキシアダマンチルメタクリレート（ＤＭＨＡｄＭＡ）、イソアダマンチルメタクリレート、３−ヒドロキシ−１−メタクリルオキシアダマンタン（ＨＡｄＭＡ）、３−ヒドロキシ−１−アダマンチルアクリレート（ＨＡＤＡ）、エチルシクロペンチルアクリレート（ＥＣＰＡ）、トリシクロ[5,2,1,02,6]デカ−８−イルメタクリレート（ＴＣＤＭＡ）、３，５−ジヒドロキシ−１−メタクリルオキシアダマンタン（ＤＨＡｄＭＡ）、β−メタクリルオキシ−γ−ブチロラクトン、ガンマ−ブチロラクトンメタクリレート−αもしくは−β（ＧＢＬＭＡ；  α−もしくはβ−）、メタクリロイルオキシノルボルナンメタクリレート（ＭＮＢＬ）、及びα−メタクリルオキシ−γ−ブチロラクトンから選択されるものなどが挙げられる。これらのモノマーを用いて生成されるポリマーの例には、ポリ(2-メチル-2-アダマンチルメタクリレート-co-2-エチル-2-アダマンチルメタクリレート-co-3-ヒドロキシ-1-メタクリルオキシアダマンタン-co-α-ガンマ-ブチロラクトンメタクリレート)、ポリ(2-エチル-2-アダマンチルメタクリレート-co-3-ヒドロキシ-1-メタクリルオキシアダマンタン-co-β-ガンマ-ブチロラクトンメタクリレート)、ポリ(2-メチル-2-アダマンチルメタクリレート-co-3-ヒドロキシ-1-メタクリルオキシアダマンタン-co-β-ガンマ-ブチロラクトンメタクリレート)、ポリ(t-ブチルノルボルネンカルボキシレート-co-無水マレイン酸-co-2-メチル-2-アダマンチルメタクリレート-co-β-ガンマ-ブチロラクトンメタクリレート-co-メタクリロイルオキシノルボルナンメタクリレート)、ポリ(2-メチル-2-アダマンチルメタクリレート-co-3-ヒドロキシ-1-メタクリルオキシアダマンタン-co-β-ガンマ-ブチロラクトンメタクリレート-co-トリシクロ [5,2,1,02,6]デカ-8-イルメタクリレート)、ポリ(2-エチル-2-アダマンチルメタクリレート-co-3-ヒドロキシ-1-アダマンチルアクリレート-co-β-ガンマ-ブチロラクトンメタクリレート)、ポリ(2-エチル-2-アダマンチルメタクリレート-co-3-ヒドロキシ-1-アダマンチルアクリレート-co-α-ガンマ-ブチロラクトンメタクリレート-co-トリシクロ [5,2,1,02,6]デカ-8-イルメタクリレート)、ポリ(2-メチル-2-アダマンチルメタクリレート-co-3,5-ジヒドロキシ-1-メタクリルオキシアダマンタン-co-α-ガンマ-ブチロラクトンメタクリレート)、ポリ(2-メチル-2-アダマンチルメタクリレート-co-3,5-ジメチル-7-ヒドロキシアダマンチルメタクリレート-co-α-ガンマ-ブチロラクトンメタクリレート)、ポリ(2-メチル-2-アダマンチルアクリレート-co-3-ヒドロキシ-1-メタクリルオキシアダマンタン-co-α-ガンマ-ブチロラクトンメタクリレート)、ポリ(2-メチル-2-アダマンチルメタクリレート-co-3-ヒドロキシ-1-メタクリルオキシアダマンタン-co-β-ガンマ-ブチロラクトンメタクリレート-co-トリシクロ [5,2,1,02,6]デカ-8-イルメタクリレート)、ポリ(2-メチル-2-アダマンチルメタクリレート-co-β-ガンマ-ブチロラクトンメタクリレート-co-3-ヒドロキシ-1-メタクリルオキシアダマンタン-co- エチルシクロペンチルアクリレート)、ポリ(2-メチル-2-アダマンチルメタクリレート-co-3-ヒドロキシ-1-アダマンチルアクリレート-co-α-ガンマ-ブチロラクトンメタクリレート)、ポリ(2-メチル-2-アダマンチルメタクリレート-co-3-ヒドロキシ-1-メタクリルオキシアダマンタン-co-α-ガンマ-ブチロラクトンメタクリレート-co-2-エチル-2-アダマンチルメタクリレート)、ポリ(2-メチル-2-アダマンチルメタクリレート-co-3-ヒドロキシ-1-メタクリルオキシアダマンタン-co-β-ガンマ-ブチロラクトンメタクリレート-co-トリシクロ [5,2,1,02,6]デカ-8-イルメタクリレート)、ポリ(2-メチル-2-アダマンチルメタクリレート-co-2-エチル-2-アダマンチルメタクリレート-co-β-ガンマ-ブチロラクトンメタクリレート-co-3-ヒドロキシ-1-メタクリルオキシアダマンタン)、ポリ(2-メチル-2-アダマンチルメタクリレート-co-2-エチル-2-アダマンチルメタクリレート-co-α-ガンマ-ブチロラクトンメタクリレート-co-3-ヒドロキシ-1-メタクリルオキシアダマンタン)などが挙げられる。
【手続補正２】
【補正対象書類名】明細書
【補正対象項目名】００６７
【補正方法】変更
【補正の内容】
【００６７】
例１  −  ３，５−ジメチル−４−ヒドロキシフェニルジメチルスルホニウムテトラフルオロエトキシオクタフルオロブタンスルホネートの合成
３，５−ジメチル−４−ヒドロキシフェニルジメチルスルホニウムクロライド（５ｇ、０．０２２９モル）を、適当な容器中で水１５０ｍｌ中に溶解した。テトラフルオロエトキシオクタフルオロブタンスルホン酸リチウム（水中５４．４％固形分で１７．１２ｇ）を室温で攪拌しながら加えた。この混合物を二時間攪拌し、そしてクロロホルムで抽出した。有機相を脱イオン水で洗浄し（４×２００ｍｌ）、そして得られた有機（クロロホルム）相を無水硫酸ナトリウム上で乾燥し、そして濾過した。減圧蒸発器でクロロホルムを蒸発させた。有色の油状物が残った。この有色の油状物をヘキサンで数回洗浄した。収率４０％の油状物。1Ｈ ＮＭＲ（アセトンｄ6 ）：2.35 (s, 6H, 2CH3), 3.4 (s, 6H, 2CH3), 6.9 - 7.25, 1H, 7.80 (s, 2H, 芳香族)。
【手続補正書】
【提出日】平成20年5月26日(2008.5.26)
【手続補正１】
【補正対象書類名】特許請求の範囲
【補正対象項目名】全文
【補正方法】変更
【補正の内容】
【特許請求の範囲】
【請求項１】
式Ｉ：
【化１】
2008501777.tif 000001
〔式中、
ｍは、０又は１であり；
ｎは、０又は１であり；
ｐは、０又は１であり；
Ｌは、−Ｏ−、−Ｃ（＝Ｏ）Ｎ（Ｒ5）−又は−Ｎ（Ｒ5）−であり；
Ｍは、Ｒ2、−ＮＲ2Ｒ3又は−ＮＲ2Ｒ4であり；
Ｒ1及びＲ2は、各々独立に、Ｈ、−（Ｃ1−Ｃ6）アルキル、−（Ｃ1−Ｃ6）アリール、−（Ｃ1−Ｃ6）ヘテロシクロアルキル、−ＮＲ1−（Ｃ1−Ｃ6）アリール又は−（Ｃ1−Ｃ6）ヘテロアリールであり、ここで、該−（Ｃ1−Ｃ6）アルキル、−（Ｃ1−Ｃ6）アリール、−（Ｃ1−Ｃ6）ヘテロシクロアルキル、−ＮＲ1−（Ｃ1−Ｃ6）アリール又は−（Ｃ1−Ｃ6）ヘテロアリールの各々は、場合によりＸ’、Ｙ’及びＺ’から独立に選択される１〜３個の部分で置換され；
Ｒ3、Ｒ4及びＲ5は、各々独立に、Ｈ、ＣＨ3及び−（Ｃ1−Ｃ6）アルキルから選択され；そして、
Ｘ、Ｙ、Ｘ’、Ｙ’及びＺ’は、各々独立に、Ｈ、ＣＨ3、−（Ｃ1−Ｃ6）アルキル、ＣＦ3、ＯＨ、ＯＣＨ3、−Ｏ−（Ｃ1−Ｃ6）アルキル、ハロゲン及びＣＮから選択される〕
を有する化合物、又は薬学的に許容されるその塩若しくは溶媒和物。
【手続補正書】
【提出日】平成20年3月3日(2008.3.3)
【手続補正１】
【補正対象書類名】特許請求の範囲
【補正対象項目名】全文
【補正方法】変更
【補正の内容】
【特許請求の範囲】
【請求項１】
自己炎症性障害、疾患または状態を処置、阻害または改善するための医薬の製造における、２つのＩＬ−１レセプター成分と多量体化成分とを含むインターロイキン１（ＩＬ−１）融合タンパク質アンタゴニストの使用であって、
前記融合タンパク質アンタゴニストが配列番号１０に記載の配列を含み、
前記自己炎症性障害、疾患または状態が、新生児発症性多系統炎症障害（Ｎｅｏｎａｔａｌ Ｏｎｓｅｔ Ｍｕｌｔｉｓｙｓｔｅｍ Ｉｎｆｌａｍｍａｔｏｒｙ Ｄｉｓｏｒｄｅｒ）（ＮＯＭＩＤ／ＣＩＮＣＡ）、マックル−ウェルズ症候群（ＭＷＳ）、家族性低温自己炎症性症候群（Ｆａｍｉｌｉａｌ Ｃｏｌｄ Ａｕｔｏｉｎｆｌａｍｍａｔｏｒｙ Ｓｙｎｄｒｏｍｅ）（ＦＣＡＳ）、家族性地中海熱（ＦＭＦ）、腫瘍壊死因子レセプター関連性周期熱症候群（ｔｕｍｏｒ ｎｅｃｒｏｓｉｓ ｆａｃｔｏｒ ｒｅｃｅｐｔｏｒ−ａｓｓｏｃｉａｔｅｄ ｐｅｒｉｏｄｉｃ ｆｅｖｅｒ ｓｙｎｄｒｏｍｅ）（ＴＲＡＰＳ）もしくは全身発症性若年性特発性（ｓｙｓｔｅｍｉｃ ｏｎｓｅｔ ｊｕｖｅｎｉｌｅ ｉｄｉｏｐａｔｈｉｃ）関節炎（スティル病）である、使用。
【請求項２】
前記医薬が皮下投与、筋肉内投与または静脈内投与のためである、請求項１に記載の使用。
【請求項３】
前記医薬が１ｍｇ／ｋｇ〜２０ｍｇ／ｋｇの用量での、治療有効量の前記融合タンパク質アンタゴニストの投与のためである、請求項１に記載の使用。
【請求項４】
ＣＩＡＳ−１内の突然変異に関連する自己炎症性障害、疾患または状態を処置、阻害または改善するための医薬の製造における、配列番号１０に記載の配列を含むインターロイキン１（ＩＬ−１）アンタゴニストの使用であって、
前記ＣＩＡＳ−１内の突然変異に関連する自己炎症性障害、疾患または状態が、新生児発症性多系統炎症障害（Ｎｅｏｎａｔａｌ Ｏｎｓｅｔ Ｍｕｌｔｉｓｙｓｔｅｍ Ｉｎｆｌａｍｍａｔｏｒｙ Ｄｉｓｏｒｄｅｒ）（ＮＯＭＩＤ／ＣＩＮＣＡ）、マックル−ウェルズ症候群（ＭＷＳ）、家族性低温自己炎症性症候群（Ｆａｍｉｌｉａｌ Ｃｏｌｄ Ａｕｔｏｉｎｆｌａｍｍａｔｏｒｙ Ｓｙｎｄｒｏｍｅ）（ＦＣＡＳ）である、使用。
【請求項５】
前記医薬が皮下投与、筋肉内投与または静脈内投与のためである、請求項４に記載の使用。
【請求項６】
前記医薬が１ｍｇ／ｋｇ〜２０ｍｇ／ｋｇの用量での、治療有効量の前記融合タンパク質アンタゴニストの投与のためである、請求項４に記載の使用。
【手続補正書】
【提出日】平成20年2月15日(2008.2.15)
【手続補正１】
【補正対象書類名】特許請求の範囲
【補正対象項目名】全文
【補正方法】変更
【補正の内容】
【特許請求の範囲】
【請求項１】
出生後ヒト被験者に由来する生殖細胞系幹細胞培養物を製造する方法であって、該方法は：
出生後被験者から生殖細胞サンプルを採取する工程、
前記生殖細胞サンプルからｃ−ｋｉｔネガティブ且つα６インテグリンポジティブである細胞を単離する工程、
単離されたｃ−ｋｉｔネガティブ且つα６インテグリンポジティブの細胞を、５−アザ−２’−デオキシシチジン、ヒストンデアセチラーゼインヒビター、ｎ−酪酸、トリコスタチンＡ、細胞全体抽出物、細胞質体抽出物および核質抽出物からなる群から選択される刺激因子を含有する培地で、生育および増殖に有効な条件下で培養することにより、生殖細胞系幹細胞培養物を製造する工程
を包含し、
該生殖細胞系幹細胞培養物は自己再生およびさらに分化決定された細胞系列へと分化する能力を有する、前記方法。
【請求項２】
幹細胞培養物中の単離されたｃ−ｋｉｔネガティブ且つα６インテグリンポジティブの細胞が、Ｏｃｔ−４およびＲＥＸ１からなる群から選択される少なくとも一つの多能性幹細胞マーカーをさらに発現する、請求項１に記載の方法。
【請求項３】
前記培養工程が、前記単離されたｃ−ｋｉｔネガティブ且つα６インテグリンポジティブの細胞を、該単離されたｃ−ｋｉｔネガティブ且つα６インテグリンポジティブの細胞の発達と前記多能性幹細胞マーカーの発現を誘導する刺激因子を含有する培地と接触させる工程を包含する、請求項２に記載の方法。
【請求項４】
前記生殖細胞が精巣細胞または卵巣細胞である、請求項１に記載の方法。
【請求項５】
前記細胞全体抽出物、細胞質体抽出物または核質抽出物が、胚性幹細胞、胎児性幹細胞、成体多能性前駆細胞および始原性細胞からなる群から選択される幹細胞から単離される、請求項１に記載の方法。
【請求項６】
請求項１に記載の方法に従って作製された幹細胞培養物。
【請求項７】
単離された、実質的に純粋な、幹細胞の培養物であって、該培養物は：
少なくとも一つの多能性幹細胞マーカーを発現するｃ−ｋｉｔネガティブ且つα６インテグリンポジティブの細胞を含み、該幹細胞培養物は自己再生およびさらに分化決定された細胞系列へ分化する能力を有する、前記培養物。
【手続補正書】
【提出日】平成20年5月22日(2008.5.22)
【手続補正１】
【補正対象書類名】明細書
【補正対象項目名】００３２
【補正方法】変更
【補正の内容】
【００３２】
第一の活性層中に存在するメチルフェニデートは、ペレット中に存在する全メチルフェニデートの重量の６５〜７５％、好ましくはおよそ７０重量％を含む。
【手続補正２】
【補正対象書類名】明細書
【補正対象項目名】００３５
【補正方法】変更
【補正の内容】
【００３５】
この層に配合される酸緩衝系は、非酸性環境中のメチルフェニデートを安定化させる。例えば、アルカリ性の腸液がペレットに浸透してきた場合、メチルフェニデートが実質的に不活性な代謝産物であるリタリン酸に早期加水分解されるのを回避する。
【手続補正３】
【補正対象書類名】明細書
【補正対象項目名】００４０
【補正方法】変更
【補正の内容】
【００４０】
多層ペレットのこの第一活性層に配合される緩衝系の量は、有効成分、フィルム形成性物質及び可塑剤の水性混合物が４〜５のｐＨ値を有するのに少なくとも十分な量である。